(57)【要約】【課題】洗い場のスペースを広く確保することができるとともに、カウンタ上に置いた石鹸等が浴槽内に落ちるおそれを防止することができる浴室を提供する。【解決手段】浴槽１３を浴室壁面１１に沿わせて設置し、浴室壁面１１には横長形状の混合水栓１５を設ける。浴槽１３の側面１３１と浴室壁面１１との間のコーナ部にカウンタ１８を設ける。カウンタ１８の上面を浴室床面１２より高く、かつ浴槽１３の上端より低い位置となるように設定する。カウンタ１８の前縁の少なくとも中央部１８１を前記浴槽１３の側面１３１及び浴室壁面１１に対して傾斜する角度に設定する。カウンタ１８の上方には混合水栓１５をその長手方向がカウンタ１８の前縁中央部１８１と平行になるように配置する。【選択図】図１
2015054202.tif 000002
【特許請求の範囲】
【請求項１】
浴槽を浴室壁面に沿わせて設置し、浴室壁面には混合水栓を設けた浴室において、
前記浴槽の側面と浴室壁面との間のコーナ部に前記混合水栓の下方に位置するカウンタを設け、そのカウンタの上面を浴室床面より高く、かつ浴槽の上端より低い位置となるように設定し、カウンタの前縁の少なくとも中央部を前記浴槽の側面及び浴室壁面に対して傾斜する角度に設定した浴室。
【請求項２】
前記混合水栓を横長形状に形成するとともに、その混合水栓の長手方向がカウンタの前縁中央部と平行になるように配置した請求項１に記載の浴室。
【請求項３】
前記浴槽の側面と浴室壁面との間のコーナ部にコーナパネルを設置し、そのコーナパネルの上端部に前記混合水栓を支持するとともに、中間部に前記カウンタを支持した請求項１または２に記載の浴室。
【請求項４】
前記コーナパネルの裏面側に前記混合水栓に接続された配管を配置した請求項３に記載の浴室。
【請求項５】
前記混合水栓は、その両端にハンドルを設けた請求項１〜４のうちのいずれか一項に記載の浴室。
【発明の詳細な説明】
【技術分野】
【０００１】
この発明は、ユニットバス等の浴室に関するものであって、詳しくはカウンタ及び混合水栓を備えた浴室に関するものである。
【背景技術】
【０００２】
従来、この種の浴室としては、例えば特許文献１〜特許文献４に開示されるような構成が提案されている。
特許文献１に記載の従来構成では、浴室壁面にカウンタが浴槽と隣接した状態で、浴室壁面に沿って延びるように設けられている。カウンタの上面は浴槽の上端より高い位置に設定され、そのカウンタの上面には浴槽用と洗い場用とに兼用可能な水栓が設けられている。
【０００３】
特許文献２に記載の従来構成では、浴室壁面に平面三角形状の塔状体が浴槽と隣接した状態で立設されている。塔状体の浴室内に面する二方の側面には、混合水栓やシャワー器具等の給水、給湯器具、及び鏡や照明器具等の浴室設備器具が取り付けられている。塔状体の上端には、フラット状の物置面が形成されている。
【０００４】
特許文献３に記載の従来構成では、浴室壁面における浴槽と反対側のコーナ部に平面形Ｌ字状のカウンタが設けられている。カウンタの上面は浴槽の上端より高い位置に設定されている。
【０００５】
特許文献４に記載の従来構成においては、浴室壁面にカウンタが浴槽と隣接した状態で、浴室壁面に沿って延びるように設けられている。カウンタ上において浴室壁面の浴槽と反対側のコーナ部には、シャワー装置が設けられている。
【先行技術文献】
【特許文献】
【０００６】
【特許文献１】特開平１１−１３１８３５号公報
【特許文献２】実公昭６１−２９３６０号公報
【特許文献３】特開２００２−５８６１３号公報
【特許文献４】特開２０１３−１０６８２５号公報
【発明の概要】
【発明が解決しようとする課題】
【０００７】
ところが、これらの従来構成においては、次のような問題があった。
特許文献１に記載の従来構成においては、カウンタが浴室壁面に沿って延びるように配置されているため、洗い場のスペースが狭くなる。また、カウンタの上面が浴槽の上端より高い位置に設定されているため、カウンタ上に置いた石鹸等が浴槽内に落ちたり、カウンタ上面から浴槽内に水や泡が流れ落ちたりするおそれがあった。
【０００８】
特許文献２及び特許文献３に記載の従来構成においても、特許文献１の記載の従来構成と同様に、塔状体上の物置面またはカウンタが浴槽の上端より高い位置にあるため、物置面またはカウンタ上に置いた石鹸等が浴槽内に落ちたり、カウンタ上面から浴槽内に水や泡が流れ落ちたりするおそれがあった。
【０００９】
特許文献４に記載の従来構成においては、カウンタが浴室壁面に沿って延びるように配置されているため、特許文献１の記載の従来構成と同様に、洗い場のスペースが狭くなる。また、シャワー装置が浴室壁面における浴槽と反対側のコーナ部に設けられて、浴槽側を指向しているため、シャワー装置を使用した際、シャワー水や身体を洗い流した水、あるいは泡等が浴槽内に入りやすかった。
【００１０】
この発明は、このような従来の技術に存在する問題点に着目してなされたものである。その目的は、洗い場のスペースを広く確保することができるとともに、カウンタ上に置いた石鹸等が浴槽内に落ちたりするおそれを抑制することができる浴室を提供することにある。
【課題を解決するための手段】
【００１１】
上記の目的を達成するために、この浴室は、浴槽を浴室壁面に沿わせて設置し、浴室壁面には混合水栓を設けた浴室において、前記浴槽の側面と浴室壁面との間のコーナ部に前記混合水栓の下方に位置するカウンタを設け、そのカウンタの上面を浴室床面より高く、かつ浴槽の上端より低い位置となるように設定し、カウンタの前縁の少なくとも中央部を前記浴槽の側面及び浴室壁面に対して傾斜する角度に設定したことを特徴としている。
【００１２】
従って、この浴室においては、カウンタが浴槽の側面と浴室壁面との間のコーナ部に寄せて設けられていることにより、カウンタが浴室壁面に沿って設けられた従来構成に比較して、洗い場のスペースを広く確保することができる。また、カウンタの上面が浴槽の上端より低い位置に設定されていることによって、カウンタ上に置いた石鹸や洗面桶等が浴槽内に落ちるおそれを防止することができる。
【発明の効果】
【００１３】
前記の浴室によれば、浴室の洗い場のスペースを広く確保することができるとともに、カウンタ上に置いた石鹸等が浴槽内に落ちるおそれを防止することができるという効果を発揮する。
【図面の簡単な説明】
【００１４】
【図１】一実施形態の浴室を示す要部斜視図。
【図２】（ａ）は図１の浴室の概略平面図。（ｂ）は従来構成の浴室の概略平面図。
【図３】（ａ）、（ｂ）及び（ｃ）は図１の浴室におけるシャワーの異なった向きからの使用状態を示す概略平面図。
【図４】（ａ）及び（ｂ）はそれぞれ変更例を示す概略平面図。
【発明を実施するための形態】
【００１５】
以下、浴室の一実施形態を図面に従って説明する。
図１に示すように、この実施形態の浴室は、浴室壁面１１を形成する側壁１１１と、浴室床面１２を形成する床板１２１と、浴槽１３とを備えている。浴槽１３は、浴室壁面１１に沿って設置されている。浴槽１３の側面１３１と浴室壁面１１との間のコーナ部には、コーナパネル１４が設置固定されている。このコーナパネル１４は、浴槽１３の側面１３１及び浴室壁面１１に対して傾斜した状態（実施形態では等角度、従って４５度）になるように配置されている。コーナパネル１４の上端部の前面には、横長形状の混合水栓１５がその長手方向をコーナパネル１４の前面と平行にした状態で支持されている。
【００１６】
図１及び図３（ａ）〜（ｃ）に示すように、水栓１５の下部には、吐水口１５１が突設されるとともに、シャワーホース１５２が延出されている。シャワーホース１５２の先端には、シャワーヘッド１５３が設けられている。水栓１５の左端部には、混合水の温度を調節する温度調節ハンドル１５４が設けられている。水栓１５の右端部には、吐水口１５１またはシャワーホース１５２からの吐水の切り換え及び吐水量の調整を行う切換ハンドル１５５が設けられている。
【００１７】
図１に示すように、前記コーナパネル１４の裏面側には、混合水栓１５に接続された冷水用及び温水用の２本の配管１６，１７が延長配置されている。
図１及び図２（ａ）に示すように、前記混合水栓１５の下方においてコーナパネル１４の中間部の前面には、平面ほぼ五角形状のカウンタ１８が支持されている。この場合、カウンタ１８の上面が浴室床面１２より高く、かつ浴槽１３の上端より低い位置となるように設定されている。また、カウンタ１８の前縁中央部１８１が、浴槽１３の側面１３１及び浴室壁面１１に対して等角度（４５度）で傾斜した状態になるように、つまりコーナパネル１４の前面及び混合水栓１５の長手方向と平行になるように配置されている。カウンタ１８の前縁中央部１８１の両側の前縁には、浴室壁面１１及び浴槽１３の側面１３１に対してほぼ直角をなす傾斜部１８２が形成されている。
【００１８】
次に、前記のように構成された浴室の機能を説明する。
この浴室においては、図２（ａ）に示すように、カウンタ１８が浴槽１３の側面１３１と浴室壁面１１との間のコーナ部に寄せた状態で、いわばデッドスペースに設けられている。このため、浴室床面１２上の洗い場のスペースを広く使用することができる。これに対して、例えば図２（ｂ）に示す比較例の構成においては、カウンタ１８が浴槽１３と隣接した状態で浴室壁面１１に沿って延びるように洗い場の中央部に設けられているため、浴室床面１２上の洗い場側のスペースが狭くなる。
【００１９】
また、この浴室においては、図１に示すように、カウンタ１８の上面が浴槽１３の上端より低い位置に設定されている。よって、カウンタ１８の上面に石鹸や洗面桶等を置いた場合に、それらが浴槽１３内に落ちるおそれはない。また、カウンタ１８の上面の水や泡等も浴槽内に流れ落ちることもない。
【００２０】
さらに、この浴室においては、混合水栓１５の長手方向がカウンタ１８の上方において浴槽１３の側面１３１及び浴室壁面１１に対して傾斜した状態に配置され、ハンドル１５４，１５５が混合水栓１５の両端に位置している。このため、シャワーを浴びる人は、図３（ａ）〜（ｃ）に示すように、混合水栓１５に対向する。この状態では、シャワーヘッド１５３からのシャワーにより身体の右手側、正面側及び左手側のいずれの方向から洗い流す場合でも、シャワー水や泡等が浴槽１３内に入るおそれは少ない。
【００２１】
従って、この実施形態によれば、以下のような効果を得ることができる。
（１）  この実施形態においては、浴槽１３が浴室壁面１１に沿って設置されるとともに、浴室壁面１１には横長形状の混合水栓１５が設けられている。浴槽１３の側面１３１と浴室壁面１１との間のコーナ部にはカウンタ１８が設けられている。カウンタ１８の上面が浴室床面１２より高く、かつ浴槽１３の上端より低い位置となるように設定されている。カウンタ１８の上方には前記混合水栓１５がその長手方向をカウンタ１８の前縁中央部１８１と平行にした状態で配置されている。
【００２２】
このため、この浴室においては、カウンタ１８が浴槽１３の側面１３１と浴室壁面１１との間のコーナ部に寄せて設けられていることにより、カウンタが浴室壁面に沿って設けられた従来構成に比較して、洗い場のスペースを広く確保することができる。また、カウンタ１８の上面が浴槽１３の上端より低い位置に設定されていることによって、カウンタ１８上に置いた石鹸や洗面桶等が浴槽１３内に落ちたり、水や泡が落ちたりするおそれを防止することができる。さらに、カウンタ１８の前縁の少なくとも中央部１８１が前記浴槽１３の側面１３１及び浴室壁面１１に対して傾斜する角度となるように設定されている。従って、洗い場に対するカウンタ１８の突出量を少なくでき、洗い場を広くして、利用しやすく、開放感を得ることができる。また、混合水栓１５の長手方向がカウンタ１８の前縁中央部１８１と平行になっているため、良好な外観を確保できるとともに、シャワーを浴びる人は、カウンタ１８に向き合った状態で混合水栓１５を容易に操作できる。
【００２３】
しかも、混合水栓１５がカウンタ１８の上方において浴槽１３の側面１３１及び浴室壁面１１に対して傾斜した状態に配置されていることにより、シャワーを使用して身体を洗い流す際に、シャワー水や泡が浴槽１３内に入るおそれを少なくすることもできる。
【００２４】
（２）  この実施形態においては、前記浴槽１３の側面１３１と浴室壁面１１との間のコーナ部にコーナパネル１４が設置され、そのコーナパネル１４の上端部に前記混合水栓１５が支持されるとともに、中間部に前記カウンタ１８が支持されている。このため、浴槽１３の側面１３１と浴室壁面１１との間のコーナ部に、カウンタ１８及び混合水栓１５を邪魔になることなく設置することができる。
【００２５】
（３）  この実施形態においては、前記コーナパネル１４の裏面側に、前記混合水栓１５に接続された配管１６，１７が配置されている。このため、混合水栓１５に対する配管１６，１７をコーナパネル１４によって隠蔽することができて、良好な外観を得ることができる。
【００２６】
（変更例）
なお、この実施形態は、次のように変更して具体化することも可能である。
・  図４（ａ）に示すように、カウンタ１８の両側の傾斜部１８２を形成することなく、カウンタ１８を平面三角形状に形成すること。
【００２７】
・  カウンタ１８の傾斜部１８２を一方のみ設けること。
・  カウンタ１８の傾斜部１８２を浴室壁面１１や浴槽１３の側面１３１に対して鈍角状あるいは鋭角状にすること。
【００２８】
・  図４（ｂ）に示すように、カウンタ１８の前縁を円弧状にすること。従って、カウンタ１８の前縁が浴槽１３の側面１３１や浴室壁面１１に対して傾斜するということは、その前縁が円弧状をなすことも含む。
【符号の説明】
【００２９】
１１…浴室壁面、１２…浴室床面、１３…浴槽、１３１…側面、１４…コーナパネル、１５…混合水栓、１５４，１５５…ハンドル、１６…冷水用の配管、１７…温水用の配管、１８…カウンタ、１８１…前縁中央部。
【図１】
2015054202.tif 000003
【図２】
2015054202.tif 000004
【図３】
2015054202.tif 000005
【図４】
2015054202.tif 000006